(57)【要約】【課題】  感光ユニットと現像ユニットとを互いに独立的に分離して装着する場合にも，一定の現像ＮＩＰを保持させることで，印刷される画像の品質を向上させうる分離型現像器を提供する。【解決手段】  分離型現像器に，感光ユニット１０の一側端部から現像ローラ２１の回転軸２２の方向へ延び，現像ローラの回転軸が挿入されるガイドスロット３１ｂが形成された軸連結部材３０ｂと，現像ユニット２０において，感光ユニットの他側端部に対応する側端部から感光ドラム１２の回転軸１５の方向へ延び，感光ドラムの回転軸が挿入されるガイドスロット３１ａが形成された軸連結部材３０ａと，を備えた。【選択図】    図３
2005222055.tif 000002
【特許請求の範囲】
【請求項１】
感光ユニットと現像ユニットとが互いに分離されて独立的に本体に装着される分離型現像器において：
前記感光ユニットの一側端部から現像ローラの回転軸の方向へ延び，前記現像ローラの回転軸が挿入される第１ガイドスロットが形成された第１軸連結部材と；
前記現像ユニットにおいて，前記感光ユニットの他側端部に対応する側端部から感光ドラムの回転軸の方向へ延び，前記感光ドラムの回転軸が挿入される第２ガイドスロットが形成された第２軸連結部材と；
を備えることを特徴とする分離型現像器。
【請求項２】
前記第１軸連結部材と第２軸連結部材とは，互いに平行に延びていることを特徴とする請求項１に記載の分離型現像器。
【請求項３】
前記第１及び第２ガイドスロットは，前記回転軸が摺動可能なように所定の長さを有することを特徴とする請求項１または２に記載の分離型現像器。
【請求項４】
前記感光ユニットは，前記第１軸連結部材が延びる一側端部が，前記ハウジングの内側に向かうように本体に装着され，
前記現像ユニットは，前記第２軸連結部材が延びる側端部が，前記ハウジングの外側に向かうように本体に装着されることを特徴とする請求項１〜３のいずれか１項に記載の分離型現像器。
【請求項５】
前記現像ユニットの背面には支持突起が突設され，前記現像ユニットを摺動可能に支持する支持ローラが，本体内の前記支持突起に対応する位置に設置されたことを特徴とする請求項１〜４のいずれか１項に記載の分離型現像器。
【請求項６】
前記現像ユニットは，前記現像ユニットに駆動力を伝達するためのカップリング部材を含み，前記カップリング部材は，軸中心の遊動が可能であることを特徴とする請求項１〜５のいずれか１項に記載の分離型現像器。
【請求項７】
前記カップリング部材は，オルダムカップリング方式を利用することを特徴とする請求項６に記載の分離型現像器。
【請求項８】
前記現像ユニットは，前記カップリング部材の軸に対して垂直方向に往復動が可能であることを特徴とする請求項６または７に記載の分離型現像器。
【請求項９】
前記現像ローラの回転軸の両端部には，前記感光ドラムと前記現像ローラとの間のＮＩＰ深さが所定値以下となるように，円形ディスクが同軸上に設置されていることを特徴とする請求項１〜８のいずれか１項に記載の分離型現像器。
【請求項１０】
感光ドラムと，
前記感光ドラムと接触する現像ローラと，
前記現像ローラまたは前記感光ドラムのいずれか１つの回転軸が摺動可能に収容されるスロットと，を含むことを特徴とする装置。
【請求項１１】
前記現像ローラと前記感光ドラムとの間に均一な現像ＮＩＰが保持されることを特徴とする請求項１０に記載の装置。
【請求項１２】
前記現像ローラに駆動力を伝達するカップリング部材を更に含み，前記カップリング部材は遊動可能な軸を備えることを特徴とする請求項１０または１１に記載の装置。
【請求項１３】
前記カップリング部材及び前記現像ローラを収容するハウジングを更に含むことを特徴とする請求項１２に記載の装置。
【請求項１４】
前記ハウジングは前後に一直線運動をすることを特徴とする請求項１３に記載の装置。
【請求項１５】
前記ハウジングに設けられる支持突起と；
前記支持突起を支持する支持ローラと；を更に含み，
前記支持ローラは，前記ハウジングの一直線運動によって回転することを特徴とする請求項１４に記載の装置。
【請求項１６】
前記現像ローラまたは前記感光ドラムの他方の回転軸を収容するスロットを更に含むことを特徴とする請求項１０〜１５のいずれか１項に記載の装置。
【請求項１７】
前記現像ローラが前記感光ドラムと接触する時，現像ＮＩＰの大きさが所定の値を超えないように，前記感光ドラムの両端部にそれぞれ接触する複数のディスクを更に含むことを特徴とする請求項１１〜１６のいずれか１項に記載の装置。
【請求項１８】
前記ディスクの大きさは，前記ＮＩＰの大きさに対応することを特徴とする請求項１７に記載の装置。
【発明の詳細な説明】
【技術分野】
【０００１】
本発明は，レーザープリンタや複写機などで使用される分離型現像器に係り，更に詳細には，感光ユニットと現像ユニットとを互いに独立的に分離して装着する場合にも一定の現像ＮＩＰ（ニップ）を保持することで，印刷される画像の品質を向上させるための分離型現像器に関する。
【背景技術】
【０００２】
レーザープリンタ，複写機または複合機などには，処理された画像を用紙に印刷するための現像器が着脱可能なユニット（以後，カートリッジとも称する。）として提供される。従来は，レーザーに露光されて静電潜像が形成される感光ユニットと，前記感光ユニットにトナーを供給して前記静電潜像に対応するトナー画像を形成する現像ユニットとが，一つのカートリッジに共に装着されていた。
【０００３】
一般的に感光ユニットの寿命が現像ユニットに比べて非常に長い。感光ユニットと現像ユニットとが上記のように統合されている場合，現像ユニットの寿命が終われば，感光ユニットが正常に作動する場合にも共に交替しなければならないという問題点があった。
【０００４】
そのような問題を改善するために，図１に示したように，感光ユニット１００と現像ユニット２００とを分離して，それぞれ駆動させる構造が提案された。そのような構造によれば，前記感光ユニット１００と現像ユニット２００とは，プリンタや複写機などの本体にそれぞれ独立的に装着され，本体からの駆動力もそれぞれ独立的に伝達される。図１を参照して，感光ユニット１００と現像ユニット２００のそれぞれの構造を説明する。
【０００５】
まず，感光ユニット１００を参照すると，感光ユニットハウジング１１０内に感光ドラム１２０，帯電ローラ１４０などがそれぞれの位置に組立てられている。その時，感光ドラム１２０は，部分的に前記感光ユニットハウジング１１０から露出しており，前記感光ドラム１２０の回転軸の一側端部には，本体からの駆動力を感光ユニット１００に伝達するための感光ユニットカップリング部材１３０が結合されている。そして，前記感光ユニットハウジング１１０は，プリンタなどの本体フレーム（図示せず）内の位置規制軸上に固設される。
【０００６】
一方，現像ユニット２００は，トナーを前記感光ドラム１２０に提供するための現像ローラ２１０，前記現像ローラにトナーを供給するトナー供給ローラ２２０，本体からの駆動力を現像ユニット２００に伝達するための現像ユニットカップリング部材２５０，前記カップリング部材２５０からの動力を前記現像ローラ２１０とトナー供給ローラ２２０とに伝達するための複数のギアより構成されたギア列２４０，及び前記部品が固定される現像ユニットハウジング２３０などより構成される。その時，前記現像ローラ２１０は，前記感光ドラム１２０と接触するために，部分的に前記現像ユニットハウジング２３０から露出している。そして，前記現像ユニット２００が本体に装着されれば，前記現像ユニットカップリング部材２５０は，本体の駆動装置連結手段（図示せず）と連結される。
【０００７】
通常，上記構成の従来の分離型現像器では，上述のように，前記感光ユニット１００は本体に固定されている。そして，像の形成のために，前記現像ローラ２１０と感光ドラム１２０とが互いに一定の接触幅（ＮＩＰ）及び接触深さ（ＮＩＰ深さ）を保持しつつ接触できるように，現像ユニット２００は，本体に装着された状態でバネなどの力で感光ユニット１１０に向かって加圧される。その時，前記現像ユニットカップリング部材２５０は，本体の駆動装置連結手段（図示せず）と同軸上に連結されている。そして，駆動力の伝達時にバネなどの力により，前記軸を中心に現像ユニット２００の全体が“スイング”運動できるようになっている。すなわち，軸方向から見れば，前記現像ユニットカップリング部材２５０の一端部は，本体内に固定された駆動装置連結手段（図示せず）と連結され，他端部は，本体のフレームに固定されて組立てられる。したがって，前記現像ユニットカップリング部材２５０はスイング運動の回転軸となり，前記現像ユニットカップリング部材２５０を中心に，現像ユニット２００の全体がスイング運動して現像ＮＩＰを保持する。
【０００８】
一般的に，現像ローラ２１０と感光ドラム１２０とが互いに接触して，噛み合って回転する非磁性一成分接触現像方式の画像形成装置において，画像の品質のために最も重要なのは，前記現像ローラ２１０と感光ドラム１２０との間の現像ＮＩＰを均一に保持することである。通常，ＮＩＰ深さは，約０．０５〜０．１５を形成することが好ましく，それ以上となれば，過度なＮＩＰにより画像汚れ及びトナーストレスが加重される。一方，ＮＩＰが形成されなければ画像形成ができない。
【０００９】
【特許文献１】特開２００２−７５７６９号公報
【特許文献２】韓国特許公開公報第２００１−０３９６９０号明細書
【特許文献３】韓国特許公開公報第２００２−０７２２４５号明細書
【特許文献４】韓国実用新案公開公報第１９９８−０４５８２４号明細書
【発明の開示】
【発明が解決しようとする課題】
【００１０】
しかし，上述のように，現像ユニット２００のスイング運動の回転軸となる現像ユニットカップリング部材２５０の両側端部は，駆動装置連結手段と本体のフレームとにそれぞれ固定されている。よって，一旦現像ユニット２００が本体に装着されれば，その位置が常に固定される。したがって，各部品の組立及び製造過程で発生する公差による各部品の寸法不安定，及び動力伝達時に発生する歪みなどにより軸配列が逸れることもある。特に，Ａ４用紙以上の大きいサイズの用紙では，軸方向の長さが長くなるため，安定した軸配列を合せることが更に難しい。図２は，前記現像ユニットカップリング部材２５０の両側端部で，軸上の位置が相異する場合に発生する問題を示すものであって，現像ローラ２１０と感光ドラム１２０とが互いに逸れて接触されている状態を示す。現像ローラ２１０と感光ドラム１２０とが互いに逸れている場合，現像ＮＩＰが不均一になり，用紙の特定部分のみが正しく印刷され，他の部分は印刷状態が非常に不良であるという現象が発生する。
【００１１】
そこで，本発明は，このような問題に鑑みてなされたもので，その目的とするところは，非磁性一成分接触現像方式で，現像ユニットと感光ユニットとが分離されて互いに独立的に本体に装着される場合にも，現像ローラと感光ドラムとが均一な現像ＮＩＰを保持することにある。また，現像ローラと感光ドラムとが均一な現像ＮＩＰを保持することで，印刷される画像の品質を向上させるところにある。
【課題を解決するための手段】
【００１２】
上記課題を解決するために，本発明のある観点によれば，感光ユニットと現像ユニットとが互いに分離されて独立的に本体に装着される分離型現像器において：前記感光ユニットの一側端部から現像ローラの回転軸の方向へ延び，前記現像ローラの回転軸が挿入される第１ガイドスロットが形成された第１軸連結部材と；前記現像ユニットにおいて，前記感光ユニットの他側端部に対応する一側端部から感光ドラムの回転軸の方向へ延び，前記感光ドラムの回転軸が挿入される第２ガイドスロットが形成された第２軸連結部材とを備える分離型現像器が提供される。
【００１３】
上記第１軸連結部材と第２軸連結部材とは，互いに平行に延びていてもよい。
【００１４】
上記第１及び第２ガイドスロットは，前記回転軸が摺動可能なように所定の長さを有していてもよい。
【００１５】
上記感光ユニットは，前記第１軸連結部材が延びる一側端部が，前記ハウジングの内側に向かうように本体に装着され，前記現像ユニットは，前記第２軸連結部材が延びる側端部が，前記ハウジングの外側に向かうように本体に装着されていてもよい。 
【００１６】
上記現像ユニットの背面には支持突起が突設され，前記現像ユニットを摺動可能に支持する支持ローラが，本体内の前記支持突起に対応する位置に設置されてもよい。 
【００１７】
上記現像ユニットは，前記現像ユニットに駆動力を伝達するためのカップリング部材を含み，前記カップリング部材は，軸中心の遊動が可能であってもよい。 
【００１８】
上記カップリング部材は，オルダムカップリング方式を利用してもよい。
【００１９】
上記現像ユニットは，前記カップリング部材の軸に対して垂直方向に往復動が可能であってもよい。 
【００２０】
上記現像ローラの回転軸の両端部には，前記感光ドラムと前記現像ローラとの間のＮＩＰ深さが所定値以下となるように，円形ディスクが同軸上に設置されていてもよい。
【００２１】
上記課題を解決するために，本発明の別の観点によれば，感光ドラムと，前記感光ドラムと接触する現像ローラと，前記現像ローラまたは前記感光ドラムのいずれか１つの回転軸が摺動可能に収容されるスロットとを含む装置が提供される。 
【００２２】
上記装置では，上記現像ローラと上記感光ドラムとの間に均一な現像ＮＩＰが保持される。 
【００２３】
上記装置は，現像ローラに駆動力を伝達するカップリング部材を更に含み，前記カップリング部材は遊動可能な軸を備えていてもよい。 
【００２４】
上記装置は，上記カップリング部材及び前記現像ローラを収容するハウジングを更に含んでもよい。 
【００２５】
上記ハウジングは前後に一直線運動をしてもよい。
【００２６】
上記装置は，前記ハウジングに設けられる支持突起と；前記支持突起を支持する支持ローラと；を更に含み，前記支持ローラは，前記ハウジングの一直線運動によって回転するように構成されてもよい。 
【００２７】
上記装置は，前記現像ローラまたは前記感光ドラムの他方の回転軸を収容するスロットを更に含んでもよい。 
【００２８】
上記装置は，現像ローラが前記感光ドラムと接触する時，現像ＮＩＰの大きさが所定の値を超えないように，前記感光ドラムの両端部にそれぞれ接触する複数のディスクを更に含んでもよい。 
【００２９】
上記ディスクの大きさは，前記ＮＩＰの大きさに対応しいてもよい。
【００３０】
上記発明によれば，次のような効果が得られる。
（１）感光ユニットと現像ユニットとが互いに独立的に分離されて本体に装着される分離型構造で，感光ユニットと現像ユニットとに軸連結部材を形成して，現像ローラと感光ドラムとの間の現像ＮＩＰを均一に保持できる。そのため，画像の品質を向上させうる。
（２）前記軸連結部材のうち１つは，ドラムユニットの一側端部に形成されており，他の一つは，現像ユニットの反対側端部に形成されているため，装着時の干渉を避けることができ，構造的に便利である。
（３）現像ユニットが感光ユニットに向って移動する時，２つの軸連結部材と支持ローラとにより３箇所で支持されるため，感光ユニットと現像ユニットとが歪んでも，前記軸連結部材のガイドスロット内で回転軸が安定した位置を確保できる。したがって，現像ユニットと感光ユニットとの生産過程で，不可避に発生する部品組立及び公差による歪みにも安定した現像ＮＩＰを保持できる。 
（４）現像ローラと同軸上に現像ＮＩＰ深さに対応する大きさの円形ディスクを設置して現像ＮＩＰを制御できるため，均一な画像形成が保障される。
【発明の効果】
【００３１】
以上説明したように本発明によれば，非磁性一成分接触現像方式で，現像ユニットと感光ユニットとが分離されて互いに独立的に本体に装着される場合にも，現像ローラと感光ドラムとが均一な現像ＮＩＰを保持することができる。また，現像ローラと感光ドラムとが均一な現像ＮＩＰを保持することで，印刷される画像の品質を向上させることができる。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
図３は，本実施形態に係る分離型現像器の構造を概略的に示している。図４は，本実施形態に係る分離型現像器で，現像ユニットと感光ユニットとが結合される状態を一側面から見た斜視図である。図５は，本実施形態に係る分離型現像器で，現像ユニットと感光ユニットとが結合される状態を他側面から見た斜視図である。図３に示したように，本実施形態に係る現像器は，感光ユニット１０と現像ユニット２０とに分離されて，プリンタなどにそれぞれ独立的に装着される分離型であり，具体的な構成が，図４及び図５の斜視図から分かるように，下記の点で従来の分離型の現像器と異なる。
【００３４】
まず，感光ユニット１０を参照すると，感光ユニットハウジング１１内に感光ドラム１２，帯電ローラ１４などが，それぞれ所定の位置に備えられている。感光ドラム１２は，感光ユニットハウジング１１から部分的に露出しており，感光ドラム１２の回転軸の一側端部には，感光ユニットカップリング部材１３が結合されている。感光ユニットカップリング部材１３は，本体からの駆動力を感光ユニット１０に伝達する。感光ユニットハウジング１１は，プリンタなどの本体フレーム（図示せず）内の位置規制軸上に固設されるが，図４の矢印で示したように，側面から本体に挿入装着される。その時，図５から分かるように，感光ユニットカップリング部材１３は，本体内側に位置する。そして，感光ユニットハウジング１１の一側から，好ましくは，感光ユニットカップリング部材１３が存在する側面からは，現像ローラ回転軸２２に対応する方向に延びた軸連結部材３０ｂが突設される。軸連結部材３０ｂ内には，現像ローラ回転軸２２が挿入されて摺動できるように，ガイドスロット３１ｂが形成されている。
【００３５】
一方，現像ユニット２０は，現像ローラ２１，トナー供給ローラ，現像ユニットカップリング部材２５，ギア列，現像ユニットハウジング２６，支持突起２８などを備える。現像ローラ２１は，トナーを前記感光ドラム１２に提供する。トナー供給ローラ（図示せず）は，現像ローラ２１にトナーを供給する。現像ユニットカップリング部材２５は，本体からの駆動力を現像ユニット２０に伝達する。ギア列（図示せず）は，複数のギアを含み，現像ユニットカップリング部材２５からの動力を，現像ローラ２１とトナー供給ローラとに伝達する。現像ユニットハウジングには上記の各部品が固定される。支持突起２８は，ハウジング２６の背面（すなわち，現像ローラがある面と反対の面）に突出されている。また，上記現像ローラ２１は，感光ドラム１２と接触するために，部分的に現像ユニットハウジング２６から露出している。現像ユニット２０も感光ユニット１０と同様に，側面から本体に挿入装着され，現像ユニット２０が本体に装着されれば，前記現像ユニットカップリング部材２５は，本体の駆動装置連結手段（図示せず）と連結される。
【００３６】
ここで，現像ユニットカップリング部材２５は，軸中心が遊動可能に構成されている。例えば，現像ユニットカップリング部材２５は，オルダムカップリングであってもよい。軸中心が固定されておらず，変動可能で且つ駆動力を円滑に伝達するための構成は，本技術分野で公知された複数の構成が存在するため，それについての具体的な説明は省略する。本実施形態では，現像ユニットカップリング部材２５の軸中心が遊動可能であるため，現像ユニット２０は，現像ユニットカップリング部材２５を中心に回転せず，本体に設けられたバネの力により前後に一直線運動をする。現像ユニット２０が前後に移動する時，現像ユニット２０の背面が支持されるように，本体に設置された支持ローラ２７が支持突起２８を支持しつつ回転する。
【００３７】
また，前記現像ユニットハウジング２６の一側から，好ましくは装着方向の外側（すなわち，感光ユニットハウジング１１に形成された軸連結部材３０ｂの反対側）からは，感光ドラム１２の回転軸１５に対応する方向に延びた軸連結部材３０ａが突設される。前記軸連結部材３０ａには，感光ドラム回転軸１５が挿入されて摺動できるようにガイドスロット３１ａが形成されている。上記２つの軸連結部材３０ａ，３０ｂは，互いに平行な状態で形成されることが好ましい。
【００３８】
そして，図６に示したように，現像ローラ２１の回転軸２２の両端には，所定の直径を有する円形のディスク２９がそれぞれ同軸上に形成されている。現像ローラ２１が感光ドラム１２と接触する時に，円形のディスク２９が感光ドラム１２の左右端部に接触することで，過度のＮＩＰを防止する。したがって，前記ディスク２９は，現像ＮＩＰ深さに対応する大きさであることが好ましい。
【００３９】
以上，本実施形態に係る分離型現像器の各部分の構成について説明した。次いで，本実施家位置亜に係る分離型現像器の動作について説明する。
【００４０】
まず，感光ユニット１０が，側面から，本体の側部を通じて本体のフレームに挿入装着される。その時，前記感光ユニット１０は，感光ユニットカップリング部材１３が本体の内側に向かうようにする。感光ユニット１０が完全に装着されると，前記感光ユニットカップリング部材１３が本体の駆動装置と連結される。その後，現像ユニット２０が，側面から，本体の側部を通じて本体のフレームに挿入装着される。
【００４１】
感光ユニット１０と現像ユニット２０とが何れも本体に完全に装着されると，図４及び図５に示したように，前記軸連結部材のガイドスロット内に感光ドラム１２と現像ローラ２１との各回転軸１５，２２が挿入される。すなわち，感光ユニットハウジング１１の一側面から延びた軸連結部材３０ｂ内のガイドスロット３１ｂに，現像ユニット２０の現像ローラ回転軸２２が挿入され，現像ユニットハウジング２６の一側面から延びた軸連結部材３０ａ内のガイドスロット３１ａに，感光ドラム回転軸１５が挿入される。本体に感光ユニット１０と現像ユニット２０とを順に装着する際に，前記回転軸が軸連結部材に簡単に挿入されるように，前記軸連結部材は，前記感光ユニットハウジング１１と現像ユニットハウジング２６との一側面のみにそれぞれ形成されている。そして，感光ユニットハウジング１１の軸連結部材３０ｂと，現像ユニットハウジング２６の軸連結部材３０ａとは互いに逆方向に形成されている。つまり，感光ユニットハウジング１１において軸連結部３０ｂが形成されている面と，現像ユニットハウジング２６において軸連結部３０ａが形成されている面は，ともに，本体に対して内側または外側の面のいずれかであり，かつ，２つの軸連結部が双方とも内側の面または外側の面に形成されるのではなく，いずれか一方の軸連結部が内側の面に形成された場合には他方の軸連結部は外側の面に形成される。また，前記軸連結部材３０ａ，３０ｂのガイドスロット３１ａ，３１ｂは，回転軸１５，２２が摺動可能となるように一定の長さを有し，回転軸の摺動を妨害しないように所定の幅を有する。
【００４２】
本実施形態では，感光ユニット１０が先に本体に挿入され，後で現像ユニット２０が挿入されるため，感光ユニット１０の軸連結部材３０ｂは，本体の内側と対向する面（本体に対して内側の面）に形成され，現像ユニット２０の軸連結部材３０ａは，本体の外側（本体に対して外側の面）に形成される。方向が異なれば，現像ユニット２０の挿入を妨害するためである。もし，感光ユニット１０でない現像ユニット２０が先に本体に挿入されれば，前記軸連結部材３０ａ，３０ｂの形成方向も逆になる。
【００４３】
現像ユニット２０が本体に完全に装着されると，現像ユニット２０の背面（すなわち，現像ローラがある面と反対の面）に突出して設けられた支持突起２８が，本体に設置された支持ローラ２７上に装着される。したがって，現像ユニット２０は，前記２つの軸連結部材３０ａ，３０ｂを通じて前面部が支持され，支持ローラ２７により背面部が支持される。このように，３箇所で支持されるため，前記現像ユニット２０は安定した状態を保持できる。そのような状態で，図３に示したように，前記現像ユニット２０の全体が，バネの力により感光ユニット１０側に移動する。既に説明したように，現像ユニット２０のカップリング部材２５は，回転軸の遊動が可能であるため，従来の場合とは違って，前記現像ユニット２０はスイング運動をせずに前後運動をする。
【００４４】
前記現像ユニット２０が感光ユニット１０側に移動すると，２つの軸連結部材３０ａ，３０ｂと，前記軸連結部材のガイドスロット３１ａ，３１ｂ内にそれぞれ挿入された２つの回転軸１５，２２とが互いに相対運動をする。その時，前記感光ドラム回転軸１５と現像ローラ回転軸２２とが互いに平行になり，前記感光ドラム１２と現像ローラ２１とは，画像形成に必要な適切な位置で互いに接触する。その時，現像ローラ回転軸２２の両端に形成されたディスクが，感光ドラム１２の両端に共に接触することで，感光ドラム１２と現像ローラ２１とが過度に密着することを防ぐ。一般的に，前記感光ドラム１２と現像ローラ２１とが適切な圧力で互いに接触するように，バネの力を正確に調節することは難しく，バネの力のみでは感光ドラム１２と現像ローラ２１との間のＮＩＰが不均一である。したがって，バネが十分な力で現像ユニット２０を加圧する代わりに，前記ディスク２９を利用して過度のＮＩＰを防ぐ。そのような動作を通じて，分離型現像器の感光ドラムと現像ローラとは均一な現像ＮＩＰを保持できる。
【００４５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４６】
本発明は，一定の現像ＮＩＰを保持できる分離型現像器の製造に利用でき，また分離型現像器を利用するレーザープリンタや複写機などの製造に利用できる。
【図面の簡単な説明】
【００４７】
【図１】従来の分離型現像器の構造を概略的に示す図面である。
【図２】従来の分離型現像器で，現像ローラと感光ドラムとの軸上が互いに逸れている状態を示す図面である。
【図３】本発明の実施形態に係る分離型現像器の構造を概略的に示す図面である。
【図４】同実施形態に係る分離型現像器で，現像ユニットと感光ユニットとが結合される状態を一側面から見た斜視図である。
【図５】同実施形態に係る分離型現像器で，現像ユニットと感光ユニットとが結合される状態を他側面から見た斜視図である。
【図６】同実施形態に係る分離型現像器で，現像ローラと感光ドラムとが接触された状態を示す図面である。
【符号の説明】
【００４８】
１０      感光ユニット
１１      感光ユニットハウジング
１２      感光ドラム
１３      感光ユニットカップリング部材
１４      帯電ローラ
１５      感光ドラム回転軸
２０      現像ユニット
２１      現像ローラ
２２      現像ローラ回転軸
２５      現像ユニットカップリング部材
２６      現像ユニットハウジング
２７      支持ローラ
２８      支持突起
２９      ディスク
３０ａ，３０ｂ      軸連結部材
３１ａ，３１ｂ      ガイドスロット
【図１】
2005222055.tif 000003
【図２】
2005222055.tif 000004
【図３】
2005222055.tif 000005
【図４】
2005222055.tif 000006
【図５】
2005222055.tif 000007
【図６】
2005222055.tif 000008